(57)【特許請求の範囲】
【請求項１】
対向する一対のワイヤ間に張られたテント用シートを隣接して配置し、該テント用シートの隣接するそれぞれの端部を重ね合わせてなるテントであって、前記テント用シートは、前記対向する一対のワイヤに沿って開閉可能になされ、前記テント用シートの隣接するそれぞれの端部のワイヤは、スライド治具で支持され、該スライド治具によって、前記テント用シートの重ね合うそれぞれの端部のワイヤが当該ワイヤと直交する方向に位置移動できるようになされていることを特徴とするテント。
【請求項２】
前記テント用シートに用いられるスライド治具は、並行に配設されたワイヤを支持する支持棒のそれぞれにワイヤを通せる移動滑車と固定滑車が設けられ、前記移動滑車が、支持棒上を摺動自在になされ、前記固定滑車は支持棒の一端に固定され、テント用シートに張られたワイヤが移動滑車から固定滑車に通されてワイヤが位置決めされてなることを特徴とする請求項１記載のテント。
【請求項３】
請求項１又は請求項２記載のテントを使用したユニット住宅の雨天据付工法であって、
隣り合うテント用シートの端部を重ね、一方のテント用シートを開けユニット住宅を構成する建物ユニットを持ち込み、一方のテント用シートを閉めて建物ユニットの据付け作業を行い、ユニット住宅を構築することを特徴とするユニット住宅の雨天据付工法。
【請求項４】
据付け位置に、建物ユニットを持ち込む際に建物ユニットに防水カバーを被せ、建物ユニット持ち込み後テント用シートを閉めた後、防水カバーを外すことを特徴とする請求項３記載のユニット住宅の雨天据付工法。
【発明の詳細な説明】
【０００１】
【発明の属する技術分野】
本発明は、ユニット住宅の雨天据付工法、テントに関する。
【０００２】
【従来の技術】
従来、建築現場のテント用シート、建築現場のテント、及び建築施工方法として、特開平７―２４７６９７号公報に記載がある。
上記公報では、建築現場の足場に取り付けられ、建築現場領域上に架設される建築現場のテントを構成するシートであって、このシートは両端の架設端によって架設され得る複数条の架設条と、隣合う2 条の架設条はシートの少なくとも一端部で離隔されており、隣り合う2 条の架設条の離隔距離がシートの１個所から当該2 条の架設条の離隔距離がシートの１個所から当該2 条の離隔されているシートの一端部に接近するに従い徐々に拡大されて、このシートを建築現場に設置する際には、シートの一端側から他端側にかけてほぼ等間隔となるように設置することにより隣合う架設条間に懸架される懸架膜はシートの一端部に接近するに従い徐々に垂下し、勾配がつくので、シート上の雨水はこの勾配に沿って流下するようになされている。
【０００３】
図１８〜図２４は、雨天据付用テントを用いた雨天据付工法を示している。
雨天据付け用のテントは、図１８、図１９に示す様に、建築現場用に建築現場に建てられた足場３０の横材３０２に掛け渡したワイヤ３２にテント用シート３４、３５を張って設置されている。
【０００４】
図２０に示すように、テント用シート３４、３５は、一端を隣接して設置され、テント用シート３４、３５は一方の端に巻き上げられて開閉できるようになされている。図２１は、従来のテント用シート３４、３５で１階の建物ユニット５を覆う状態を示している。
【０００５】
テント用シート３４、３５は、１階の建物ユニット５を覆う高さに掛け渡されたワイヤ３２で張られている。テント用シート３４が途中迄巻き上げられ、空いいたスペースで１階の建物ユニットの据付け作業を行う。
【０００６】
図２２は、テント用シート３４、３５が２階の建物ユニット５を覆う状態を示している。２階の建物ユニット５を覆う高さに掛け渡されたワイヤ３２にテント用シート３４、３５は張られている。
【０００７】
テント用シート３４、３５では、建物ユニットの仕上げ、特に防水施工を行う。図２３は、テント用シート３４、３５がテント用シート３４を途中迄巻き上げて、傾斜屋根のユニット住宅１を据付ける状態を示している。
図２４は、建物ユニット５の傾斜屋根が設置された後、テント用シート３４は取り外された状態を示している。
【０００８】
【発明が解決しようとする課題】
図２２に示すように、雨天据付け時に使用するテントを構成する従来のテント用シートでは、端部をワイヤ３２に張って設置される際に、テント用シート３４、３５の重量でワイヤが張設した方向に引っ張られ、隣接するテント用シート３４、３５間に隙間３６ができるといった問題があった。
【０００９】
又、 風雨時では、ワイヤにテント用シートを張ると、テント用シートの自重に風雨等の荷重が付加されて、ワイヤの巻き上げに大きな力が必要となっていた。
【００１０】
本発明は、上記のこのような問題点に着眼してなされたものであり、その目的は、雨天時に据付けのできるユニット住宅の雨天据付工法とそれに用いるテントを提供するものである。
【００１１】
【課題を解決するための手段】
請求項１記載の本発明のテントは、対向する一対のワイヤ間に張られたテント用シートを隣接して配置し、該テント用シートの隣接するそれぞれの端部を重ね合わせてなるテントであって、
前記テント用シートは、前記対向する一対のワイヤに沿って開閉可能になされ、前記テント用シートの隣接するそれぞれの端部のワイヤは、スライド治具で支持され、該スライド治具によって、前記テント用シートの重ね合うそれぞれの端部のワイヤが当該ワイヤと直交する方向に位置移動できるようになされているものである。
【００１２】
請求項２記載の本発明のテントは、前記テント用シートに用いられるスライド治具は、並行に配設されたワイヤを支持する支持棒のそれぞれにワイヤを通せる移動滑車と固定滑車とが設けられ、前記移動滑車が、支持棒上を摺動自在になされ、前記固定滑車は支持棒の一端に固定され、テント用シートに張られたワイヤが移動滑車から固定滑車に通されてワイヤが位置決めされてなるものである。
【００１３】
請求項３記載の本発明のユニット住宅の雨天据付工法は請求項１又は請求項２記載のテントを使用したユニット住宅の雨天据付工法であって、隣り合うテント用シートの端部を重ね、一方のテント用シートを開けユニット住宅を構成する建物ユニットを持ち込み、一方のテント用シートを閉めて建物ユニットの据付け作業を行い、ユニット住宅を構築するものである。
【００１４】
請求項４記載の本発明のユニット住宅の雨天据付工法は、据付け位置に、建物ユニットを持ち込む際に建物ユニットに防水カバーを被せ、建物ユニット持ち込み後テントを閉めた後、防水カバーを外すものである。
【００１５】
【作用】
請求項１記載の本発明のテントは、前記テント用シートは、前記対向する一対のワイヤに沿って開閉可能になされ、
前記テント用シートの隣接するそれぞれの端部のワイヤは、スライド治具で一端を支持され、該スライド治具によって、前記テント用シートの重ね合うそれぞれの端部のワイヤと直交する方向に位置移動できるようになされているので、建物ユニットの吊り下ろす際に建物ユニットに干渉する一方のテント用シートの端部を容易に位置移動させることができ、雨天時の据付け作業を容易にすることができる。
【００１６】
請求項２記載の本発明のテントは、前記テント用シートに用いられるスライド治具は、並行に配設されたワイヤを支持する支持棒のそれぞれにワイヤを通せる移動滑車と固定滑車とが設けられ、前記移動滑車が、支持棒上を摺動自在になされ、前記固定滑車は支持棒の一端に固定され、テント用シートに張られたワイヤが移動滑車から固定滑車に通されてなるので、建物ユニットの吊り上げ吊り下げ時に、建物ユニットと干渉するテント用シートの端部を容易に位置移動でき、雨天時の据付け作業を容易に行うことができる。
【００１７】
請求項３記載の本発明のユニット住宅の雨天据付工法は、隣り合うテント用シートの端を部を重ね、一方のテント用シートを開けユニット住宅を構成する建物ユニットを持ち込み、一方のテント用シートを閉めて建物ユニットの据付け作業を行い、ユニット住宅を構築するので、隣接するテント用シートの端部が重ねあって、テントの下の建物ユニットに雨水が垂れ落ちることはない。
【００１８】
請求項４記載の本発明のユニット住宅の雨天据付工法は、据付け位置に、建物ユニットを持ち込む際に建物ユニットに防水カバーを被せ、建物ユニット持ち込み後テント用シートを閉めた後、防水カバーを外すので、据付ける建物ユニットの上部に張ったテント用シートによって、防水カバーを外しても、建物ユニットを雨濡れさせることなく、据付け作業をすることができる。
【００１９】
【発明の実施の形態】
以下に本発明の実施の形態を図面を参照して説明する。
図１〜図６は、スライド治具を用いた第１の実施例を示している。
図１は、本発明のテントの隣接端部がスライド治具で重ね合った状態を示す斜視図、図２は、スライド治具を示す平面図、図３は、スライド治具の正面図、図４は、スライド治具に移動滑車を示す平面図、図５はスライド治具の移動滑車の側面図、図６は、本発明のテントの隣接端部がスライド治具で開いた状態を示す斜視図である。
【００２０】
本発明のユニット住宅１の雨天据付工法は、図１に示すように、隣り合うテント用シート１５１、１６１の端部１５２、１６２を重ね合わせて、テント １５の下部に据付けられる建物ユニット５が雨濡れしないようになされている。
【００２１】
建物ユニット５を吊り下ろす範囲のテント用シート１５１は一時隅にテント用シート１５１を巻いて吊り下ろす範囲を開けてやる必要がある。更に、重ね合う他方のテント用シート１６１の端部１６２も建物ユニット５に吊り下げる際に干渉するので端部を建物ユニット５と干渉しない位置までセットバックしてやる必要が生じる。
【００２２】
そのために重ね合う端部１５２、１６２は、後述するスライド治具１０で容易にワイヤ２０、２１の固定位置を位置移動できるようになされている。
【００２３】
このように、建物ユニット５の吊り下ろしの際には、一方のテント用シート１５１を開け、建物ユニット５を吊り下ろしできるようになされている。建物ユニット５の吊り下ろした後、一方のテント用シート１５１を閉めて建物ユニット５の据付け作業を行い、ユニット住宅１を構築するようになされている。
【００２４】
本発明のユニット住宅１の雨天据付工法は、据付け位置に、建物ユニット５を持ち込む際に建物ユニット５に防水カバー（不図示）を被せ、建物ユニット５持ち込み後テント１５を閉めた後、防水カバーを外すようになされている。
建物ユニット５をクレーンで吊り上げ据付ける際には、該当するテント用シート１５１は足場３０の端に巻き上げられ、作業上空を開放して、建物ユニット５の吊り上げ作業に障害にならないようになされている。
【００２５】
テント用シート１５１の開放中は建物ユニット５は、防水カバーで被覆されて雨濡れされることはない。建物ユニット５の据付けが終了して、建物ユニット５を被覆している防水カバー類を取り外した後、該当列のテント用シート１５１を閉めて、建物ユニット５の上空を遮蔽するようになされている。
【００２６】
雨天据付け用のテント１５は、隣接するテント用シート１５１、１６１で構成され建築現場の足場３０に取り付けられている。
足場３０は、間隔をおいて立設された支柱３０１に水平に掛け渡された横材３０２を締結して組み立てられている。支柱３０１、横材３０２は鋼管等でユニット住宅１を取り囲む様にして組み立てられている。
【００２７】
又、支柱３０１と横材３０２には建物ユニット５の屋根作業、外装作業ができる足場板、梯子（不図示）等が設けられて水平垂直に安全に移動できるようになされている。前記テント１５は、建物ユニット５の据付ける配列単位に分割されたテント用シート１５１、１６１を隣接配置して構成されている。
【００２８】
テント１５を形成するテント用シート１５１、１５２は、防水機能を備えたものであれば、特に限定されるものではないが、例えば、塩化ビニル樹脂シート、ポリエチレンシ―ト、ナイロンシート等に合成樹脂シートや、これらの合成樹脂シートと布との積層シート等が好適に使用でき、軽量で、防水処理されたものが好ましい。
【００２９】
テント用シート１５１、１６１は、間隔をおいて取付けられたフック１５３、１６３を介してワイヤ２０、２１に懸けられている。このようにテント用シート１５１、１６１は、フック１５３、１６３をワイヤ２０、２１に掛け渡して、雨天据付け用に用いるテント１５は足場３０の上部に張設されている。
【００３０】
テント用シート１５１、１６１は、ワイヤ２０、２１に沿ってスライドでき、足場３０の内部に据付けられる建物ユニット５の上空の遮蔽、開放を自在にできるようになされている。
【００３１】
本発明のテント１５は、対向する一対のワイヤ２０、２０、２１、２１間に張られたテント用シート１５１、１６１を隣接して配置し、該テント用シート１５１、１６１の隣接するそれぞれの端部１５２、１６２を重ね合わせるようになされている。前記テント用シート１５１、１６１は、前記対向する一対のワイヤ２０、２０、２１、２１に沿って開閉可能になされている。
【００３２】
前記テント用シート１５１、１６１の隣接するそれぞれの端部１５２、１６２のワイヤ２０、２１は、スライド治具１０で一端を支持され、該スライド治具１０によって、前記テント用シート１５１、１６１の重ね合うそれぞれの端部１５２、１６２のワイヤ２０、２１と直交する方向に位置移動できるようになされている。
【００３３】
テント用シート１５１、１６１重ね合う端部１５２、１６２には、ワイヤ２０、２１が掛け渡されている。ワイヤ２０、２１の一端は足場３０に固定され、他端はスライド治具１０を介してワイヤ２０、２１を巻き上げるウインチ（不図示）に締結されている。
【００３４】
図２、図３に示す様に、スライド治具１０は、スライド治具１０を構成する支持棒１０１、１０２の端部が足場３０の横材３０２に固定して取付けできるようになされている。
スライド治具１０は、上下に併設して設けられた支持棒１０１、１０２で、枠組みされた構造になされている。
【００３５】
支持棒１０１、１０２には、摺動自在な移動滑車１１、１３と、支持棒１０１、１０２の一端に固定して取り付けられる固定滑車１２、１４とがそれぞれ取り付けられている。
【００３６】
図４、図５に移動滑車１１の詳細を示している。移動滑車１１は、筒体１１１が支持棒１０１の外周にはめ込まれ、ワイヤ２０をワイヤ２０の張られた方向に直交する方向にスライドできるようになされている。
【００３７】
筒体１１１は、支持棒１０１の外周面と嵌合できる筒体になされている。
筒体１１１には、ピン固定穴１１４が設けられ所定の位置に固定できるようになされている。
【００３８】
ピン固定穴１１４がワイヤ２０の位置移動できる所定の位置に設けられているので、ワイヤ２０の位置決めが容易になされている。同時にピン固定穴１１４に固定ピンを挿入して、支持棒１０１と筒体１１１とが固定され筒体１１１が自在に回転しないようになされている。
【００３９】
移動滑車１１の筒体１１１には、滑車１１２、１１３が設けられている。
滑車１１２は、ワイヤ２０の位置調整して滑車１１３が定位置でワイヤ２０を支持できるようにワイヤ２０をガイドできるようになされている。
【００４０】
滑車１１２で引き入れられたワイヤ２０は、滑車１１３で方向を変えて足場３０に設けられたウインチ（不図示）方向に引っ張られ足場３０に締結されてもる。
【００４１】
固定滑車１２は、取付け具１２１にて摺動支持棒１０１の端部に固定されている。固定滑車１２は２個の滑車１２２、１２３で支持するワイヤ２０の方向を変えるようになされている。
【００４２】
摺動支持棒１０２には、移動滑車１３と固定滑車１４が設けられている。
移動滑車１３は、移動滑車１１と、固定滑車１４は、固定滑車１２と同様に構成からなっているので説明は省略する。
【００４３】
図６に示す様に、隣接する端部を重ね合わされたテント用シート１５、１６は、建物ユニット５を吊り下ろすために干渉する部分のテント用シート１５、１６を開けてやる必要がある。
【００４４】
まずテント用シート１６の端部のワイヤ２１を緩めてワイヤ２１の位置を移動する。即ち、ワイヤ２１を支持する移動滑車１１を移動滑車１２の方向に移動させてテント用シート１５１を図面右方向に移動させる。
【００４５】
その後、他方のテント用シート１６１を図面矢印方向に巻き取るようになされて、テント用シート１６１は、図面下方にスライドされテント用シート１６１は巻き戻される。
【００４６】
図７〜１７は別のスライド治具を用いた第２の実施例を示している。
図７は、重ね合うテント用シート１５１、１６１が閉じられた状態を示す斜視図、図８は、スライド治具を示す平面図、図９は、図８のスライド治具のＡＡ矢視側面図、図１０〜図１３は、外れ止め治具の操作を示す説明図、図１４〜図１６は、スライド治具４０の動作状態を説明する平面図、図１７は、重ね合うテント用シート１５１、１６１が一部巻き取られた状態を示す斜視図である。
【００４７】
図７に示す様に、重ね合うテント用シート１５１、１６１は端部１５２、１６２を重ね合って下部に建物ユニットが雨水で濡れないようになされている。
【００４８】
重ね合うテント用シート１５１、１６１の端部１５２、１６２は建物ユニット５を吊り下ろす際に、テント用シート１５１、１６１が邪魔にならない様スライド治具４０を用いて、容易に開閉できるようになされている。
【００４９】
図８、図９に示す様に、スライド治具４０は、支持棒４１にワイヤ２０、２１を掛け渡す移動滑車４４、４５が支持棒４１に沿って摺動できるようになされている。
【００５０】
支持棒４１には、支持棒４１に沿って、 連結ワイヤ４３が設けられ、回転軸５１に連動して巻き取られるようになされている。回転軸５１は、専用ハンドル５０で回転軸５１を回転できるようになされている。
【００５１】
連結ワイヤ４３には、連結プレート４２が設けられ、移動滑車４４、４５が連結プレート４２穴４２１にピン固定できるようになされている。支持棒４１の両端には、固定滑車４６、４７、４８、４９が設けられている。
【００５２】
移動滑車４４は、それぞれ滑車４４１、４４２、４４３と外れ止め４４４とが設けられている。外れ止め４４４は、滑車４４３の外周に設けられている。
移動滑車４５は、それぞれ滑車４５１、４５２、４５３と外れ止め４５４とが設けられている。
【００５３】
外れ止め４５４は、滑車４５３の外周に設けられている。
外れ止め４４４、４５４は、図１０〜図１３にて詳述するが、ワイヤ２０、２１が移動滑車４４、４５から外れない取付け構造になされている。
【００５４】
固定滑車４６〜４９には、外れ止め４６１、４７１、４８１、４９１が設けられている。外れ止め４６１、４７１、４８１、４９１は、図１０〜図１３に示すように、ワイヤ２０、２１が固定滑車４６〜４９から外れない取付け構造になされている。
【００５５】
図１０に示す様に、固定滑車４６〜４９の外周付近に取り付けられた外れ止め４６１、４７１、４８１、４９１は、スライド治具４０に固定された筒体の内部に蝶ボルト５２を貫入して、筒端を該蝶ボルト５２で自在に固定されている。
【００５６】
図１１に示す様に、蝶ボルト５２を廻して外れ止め４６１、４７１、４８１、４９１を緩めて、固定滑車４６〜４９から少し離すようにする。
【００５７】
図１２に示す様に、外れ止め４６１、４７１、４８１、４９１と固定滑車４６〜４９ｌ間にワイヤ２０、２１を通す。
【００５８】
図１３に示す様に、 再度外れ止め４６１、４７１、４８１、４９１を蝶ボルト４２を廻して、外れ止め４６１、４７１、４８１、４９１が動かないように締めて固定する。
【００５９】
図１４〜図１６は、スライド治具４０の動作を示している。
図１４に示す様に、テント用シート１５１、１６１の重ね合う端部を支持するワイヤ２０、２１は、移動滑車４４、４５で支持されている。
【００６０】
各移動滑車４４、４５は、スライド治具４０の支持棒４２に端部の所定の位置にピン固定されている。テント用シート１５１、１６１は、 端部１５２、１６２を重ね合う状態になされ、テント用シート１５１、１６１が閉じられたい状態になされている。
【００６１】
図１５、図１６に示す様に、専用ハンドル５０を支持棒４１にロックしている固定ピン５０１を外し、 専用ハンドル５０を廻して、スライド治具４０のワイヤ４３を固定滑車４８の方向に巻き取る。ワイヤ４３の設けられた連結プレート４２と移動滑車４４を連結する。
【００６２】
このようにして、再度ハンドル５０を廻して固定滑車４６の方向にワイヤ４３を巻き取るようにして、移動滑車４４を固定滑車４６の方向に移動させる。
【００６３】
専用ハンドル５０は、腕の長さがテント用シートの自重、風雨荷重を加味した長さになされ、風雨時でも容易に巻き上げることができる様になされている。
【００６４】
図１７に示す様に、移動滑車４４の移動によって、移動滑車４４に端部１５２を取り付けたテント用シート１５１は、張った状態が緩められ、 固定滑車４６の方向に移動することになる。
【００６５】
テント用シート１５１を緩めて後、他方のテント用シート１６１をワイヤ２０に沿って巻き取られ、吊り下げられる建物ユニット５の上空のテント用シートは巻き取られて、吊り下げ作業の障害にはならない。
【００６６】
このように、本発明のユニット住宅１の雨天据付工法は、隣り合うテント１５の端部を重ね、一方のテント用シート１５１を開けユニット住宅１を構成する建物ユニット５を持ち込み、一方のテント用シート１５１を閉めて建物ユニット５の据付け作業を行い、ユニット住宅１を構築するので、隣接するテント用シート１５１、１６１の端部１５２、１６２が重ねあって、テントの下の建物ユニット５に雨水が垂れ落ちることはない。
【００６７】
本発明のユニット住宅１の雨天据付工法は、据付け位置に、建物ユニット５を持ち込む際に建物ユニット５に防水カバーを被せ、建物ユニット５持ち込み後テント１５を閉めた後、防水カバーを外すので、据付ける建物ユニット５の上部に張ったテント１５によって、防水カバーを外しても、建物ユニット５を雨濡れさせることなく、据付け作業をすることができる。
【００６８】
本発明のテント１５は、前記テント用シート１５１、１６１は、前記対向する一対のワイヤ２０、２１に沿って開閉可能になされ、前記テント用シート１５１、１６１の隣接するそれぞれの端部１５２、１６２のワイヤ２０、２１は、スライド治具１０で一端を支持されている。
【００６９】
該スライド治具１０によって、前記テント用シート１５１、１６１の重ね合うそれぞれの端部１５２、１６２のワイヤ２０、２１と直交する方向に位置移動できるようになされているので、建物ユニット５の吊り下ろす際に建物ユニット５に干渉する一方のテント用シート１５１の端部１５２を容易に位置移動させることができ、雨天時の据付け作業を容易にすることができる。
【００７０】
本発明のテント１５は、前記テント用シート１５１、１６１に用いられるスライド治具１０は、並行に配設された支持棒１０１、１０２のそれぞれにワイヤ２０、２１を通せる移動滑車１１、１３と固定滑車１２、１４が設けられ、前記移動滑車１１、１３が、支持棒１０１、１０２上を摺動自在になされ、前記固定滑車１１、１３は支持棒１０１、１０２の一端に固定され、テント用シート１５１、１６１に張られたワイヤ２０、２１が移動滑車１１、１３から固定滑車１２、１４に通されてなるので、建物ユニット５の吊り上げ吊り下げ時に、建物ユニット５と干渉するテント用シート１５１、１６１の端部１５２、１６２を容易に位置移動でき、雨天時の据付け作業を容易に行うことができる。
【００７１】
【発明の効果】
請求項１記載の本発明のテントは、前記テント用シートは、前記対向する一対のワイヤに沿って開閉可能になされ、前記テント用シートの隣接するそれぞれの端部のワイヤは、スライド治具で一端を支持され、該スライド治具によって、前記テント用シートの重ね合うそれぞれの端部のワイヤと直交する方向に位置移動できるようになされているので、建物ユニットの吊り下ろす際に建物ユニットに干渉する一方のテント用シートの端部を容易に位置移動させることができ、雨天時の据付け作業を容易にすることができる。
【００７２】
請求項２記載の本発明のテントは、前記テント用シートに用いられるスライド治具は、並行に配設された支持棒のそれぞれにワイヤを通せる移動滑車と固定滑車が設けられ、前記移動滑車が、支持棒上を摺動自在になされ、前記固定滑車は支持棒の一端に固定され、テント用シートに張られたワイヤが移動滑車から固定滑車に通されてなるので、建物ユニットの吊り上げ吊り下げ時に、建物ユニットと干渉するテント用シートの端部を容易に位置移動でき、雨天時の据付け作業を容易に行うことができる。
【００７３】
請求項３記載の本発明のユニット住宅の雨天据付工法は、隣り合うテントの端部を重ね、一方のテント用シートを開けユニット住宅を構成する建物ユニットを持ち込み、一方のテント用シートを閉めて建物ユニットの据付け作業を行い、ユニット住宅を構築するので、隣接するテント用シートの端部が重ねあって、テントの下の建物ユニットに雨水が垂れ落ちることはない。
【００７４】
請求項４記載の本発明のユニット住宅の雨天据付工法は、据付け位置に、建物ユニットを持ち込む際に建物ユニットに防水カバーを被せ、建物ユニット持ち込み後テントを閉めた後、防水カバーを外すので、据付ける建物ユニットの上部に張ったテントによって、防水カバーを外しても、建物ユニットを雨濡れさせることなく、据付け作業をすることができる。
【図面の簡単な説明】
【図１】本発明のテントの隣接端部がスライド治具で重ね合った状態を示す斜視図である。
【図２】スライド治具を示す平面図である。
【図３】スライド治具の正面図である。
【図４】スライド治具に移動滑車を示す平面図である。
【図５】スライド治具の移動滑車の側面図である。
【図６】本発明のテントの隣接端部がスライド治具で開いた状態を示す斜視図である。
【図７】  重ね合うテント用シート１５１、１６１が閉じられた状態を示す斜視図である。
【図８】スライド治具を示す平面図である。
【図９】図８のスライド治具のＡＡ矢視側面図である。
【図１０】外れ止め治具の操作を示す説明図である。
【図１１】外れ止め治具の操作を示す説明図である。
【図１２】外れ止め治具の操作を示す説明図である。
【図１３】外れ止め治具の操作を示す説明図である。
【図１４】スライド治具４０の動作状態を説明する平面図である。
【図１５】スライド治具４０の動作状態を説明する平面図である。
【図１６】スライド治具４０の動作状態を説明する平面図である。
【図１７】重ね合うテント用シート１５１、１６１が一部巻き取られた状態を示す斜視図である。
【図１８】従来の建築現場に設置される足場を示す斜視図である。
【図１９】足場に掛け渡される従来のワイヤを示す斜視図である。
【図２０】足場に掛け渡された従来のワイヤに張られたテントを示す斜視図である。
【図２１】足場に張られた従来のテントが１階の建物ユニットを覆う状態を示す斜視図である。
【図２２】足場に張られた従来のテントが２階の建物ユニットを覆う状態を示す斜視図である。
【図２３】  足場に張られた従来のテントが傾斜屋根のユニット住宅を覆う状態を示す斜視図である。
【図２４】  足場に張られた従来のテントが傾斜屋根のユニット住宅を覆う状態を示す斜視図である。
【符号の説明】
１０            スライド治具
１０１          支持棒
１０２          支持棒
１１            移動滑車
１２            固定滑車
１３            移動滑車
１４            固定滑車
１５            テント
１５１          テント用シート
１５２          端部
１６１          テント用シート
１６２          端部
２０、２１      ワイヤ
４０            スライド治具
４１            支持棒
４２            連結プレート
４３            ワイヤ
４４            移動滑車
４５            移動滑車
４６            固定滑車
４６１          外れ止め
４７            固定滑車
４７１          外れ止め
４８            固定滑車
４８１          外れ止め
４９            固定滑車
４９１          外れ止め
【図１】
0004167377.tif 000002
【図２】
0004167377.tif 000003
【図３】
0004167377.tif 000004
【図４】
0004167377.tif 000005
【図５】
0004167377.tif 000006
【図６】
0004167377.tif 000007
【図７】
0004167377.tif 000008
【図８】
0004167377.tif 000009
【図９】
0004167377.tif 000010
【図１０】
0004167377.tif 000011
【図１１】
0004167377.tif 000012
【図１２】
0004167377.tif 000013
【図１３】
0004167377.tif 000014
【図１４】
0004167377.tif 000015
【図１５】
0004167377.tif 000016
【図１６】
0004167377.tif 000017
【図１７】
0004167377.tif 000018
【図１８】
0004167377.tif 000019
【図１９】
0004167377.tif 000020
【図２０】
0004167377.tif 000021
【図２１】
0004167377.tif 000022
【図２２】
0004167377.tif 000023
【図２３】
0004167377.tif 000024
【図２４】
0004167377.tif 000025